(57)【要約】【課題】  建物への取付作業を簡単且つ効率よく行うことが可能な庇を提供することを課題とする。【解決手段】  建物Ｈの外面Ｈ２から突出する庇取付ブラケットＴ１に取り付けられる庇１であって、庇取付ブラケットＴ１の下側に配置される庇本体１０と、この庇本体１０の上面に設けられ、庇取付ブラケットＴ１に掛止される取付部材２０，２０，…とを備える庇１とする。取付部材２０は、庇本体１０の上面に固定される固定部と、当該固定部に立設された立上部と、当該立上部から庇取付ブラケットＴ１に向かって張り出す掛止部とを備えている。【選択図】      図１
2006307426.tif 000002
【特許請求の範囲】
【請求項１】
建物の外面から突出する庇取付ブラケットに取り付けられる庇であって、
前記庇取付ブラケットの下側に配置される庇本体と、
前記庇本体の上面に設けられ、前記庇取付ブラケットに掛止される取付部材とを備えることを特徴とする庇。
【請求項２】
前記取付部材は、前記庇本体の上面に固定される固定部と、当該固定部に立設された立上部と、当該立上部から前記庇取付ブラケットに向かって張り出す掛止部とを備えており、
前記掛止部が、前記庇取付ブラケットの上端面に掛止されることを特徴とする請求項１に記載の庇。
【請求項３】
前記立上部は、前記庇取付ブラケットの二つの側面のうち、前記庇本体の外縁側にある側面を覆い隠すように配置されていることを特徴とする請求項２に記載の庇。
【請求項４】
前記立上部には、前記庇取付ブラケット側に開口する雌ネジ穴が形成されており、
前記立上部は、前記庇取付ブラケットを貫通するボルトを前記雌ネジ穴に螺合することによって前記庇取付ブラケットに固定されることを特徴とする請求項３に記載の庇。
【発明の詳細な説明】
【技術分野】
【０００１】
本発明は、庇に関する。
【背景技術】
【０００２】
窓や玄関といった建物の開口部の上方には、雨や陽射を遮ることを目的として庇が設けられている。このような庇は、例えば特許文献１に開示されているように、建物の外面から突出するブラケットを利用して取り付けられることが多い。
【０００３】
特許文献１の庇は、矩形枠の上面に表面板を取り付けてなる庇本体と、矩形枠の下面に取り付けられる裏面板とを備えて構成されており、ブラケットに庇本体を覆い被せ、ブラケットと庇本体の矩形枠とをボルト・ナットで締結することでブラケットに固定される。
【０００４】
【特許文献１】特開２０００−１１０２９２号公報
【発明の開示】
【発明が解決しようとする課題】
【０００５】
ところで、特許文献１の庇では、表面板によって庇本体（矩形枠）の上面が塞がれているので、矩形枠とブラケットとを固定する作業を庇本体の下側から上向き姿勢で行わざるを得ないが、このような姿勢での作業は、過酷で効率も悪い。
【０００６】
そこで、本発明は、建物への取付作業を簡単且つ効率よく行うことが可能な庇を提供することを課題とする。
【課題を解決するための手段】
【０００７】
このような課題を解決すべく創案された本発明は、建物の外面から突出する庇取付ブラケットに取り付けられる庇であって、前記庇取付ブラケットの下側に配置される庇本体と、前記庇本体の上面に設けられ、前記庇取付ブラケットに掛止される取付部材とを備えることを特徴とする。
【０００８】
このような庇によると、庇取付ブラケットに掛止される取付部材が庇本体の上面に露出しているので、庇本体の建物への取付作業を、庇本体の上側から下向き姿勢で行うことが可能となる。
【０００９】
なお、前記取付部材が、前記庇本体の上面に固定される固定部と、当該固定部に立設された立上部と、当該立上部から前記庇取付ブラケットに向かって張り出す掛止部とを備えている場合には、前記掛止部を前記庇取付ブラケットの上端面に掛止するとよい。このようにすると、取付部材と庇取付ブラケットとを機械的接合方法や溶接等によって接合する前であっても、庇本体を庇取付ブラケットに支持させておくことが可能となるので、位置決め作業や接合作業を簡易迅速に行うことが可能となる。
【００１０】
なお、前記庇取付ブラケットの二つの側面のうち、前記庇本体の外縁側にある側面を覆い隠すように前記立上部を配置すると、庇を見上げたときに庇取付ブラケットが視認され難くなるので、すっきりとした外観となる。この場合には、前記立上部に、前記庇取付ブラケット側に開口する雌ネジ穴を形成し、前記庇取付ブラケットを貫通するボルトを前記雌ネジ穴に螺合することによって前記立上部と前記庇取付ブラケットとを固定するとよい。このようにすると、庇を見上げたときにボルトが視認され難くなるので、より一層すっきりとした外観となる。
【発明の効果】
【００１１】
本発明に係る庇によると、庇本体の建物への取付作業を、庇本体の上側から下向き姿勢で行うことが可能となるので、建物への取付作業を簡単且つ効率よく行うことが可能となる。
【発明を実施するための最良の形態】
【００１２】
以下、本発明を実施するための最良の形態を、添付した図面を参照しつつ詳細に説明する。
【００１３】
本実施形態に係る庇１は、図１に示すように、建物Ｈの玄関や窓等の開口部Ｈ１の上方に付設されるものであって、建物Ｈの外装材の外面Ｈ２から突出する複数（本実施形態では四つ）の庇取付ブラケットＴ１，Ｔ１，…および外面Ｈ２から斜め下方に向かって延出する複数本（本実施形態では二本）の吊材Ｒ，Ｒに取り付けられている。
【００１４】
庇１は、庇取付ブラケットＴ１の下側に配置される庇本体１０と、庇取付ブラケットＴ１に掛止される取付部材２０と、吊材Ｒの下端が接続される接続部材３０とを備えている。
【００１５】
庇本体１０は、図２に示すように、骨組みとなる枠体１１と、枠体１１を挟んで上下に対向して配置された二枚の面材１２，１２（図３参照）と、二枚の面材１２，１２の間に配置されたコア材１３とを含むサンドイッチパネルからなる。なお、本実施形態においては、庇本体１０の側端部および前端部に先端部材１４が設けられており、さらに、庇本体１０の前端部にある先端部材１４には、その長手方向に沿って雨水等の水を集水して排水する雨樋１５が設けられている。また、庇本体１０の後端側（建物Ｈ側の端部）には、小口部材１６（図３参照）が設けられている。
【００１６】
枠体１１は、アルミニウム製またはアルミニウム合金製の中空押出形材を組み合わせ形成されている。押出形材同士は、溶接等によって互いに接合されている。
【００１７】
枠体１１は、より詳細には、面材１２の外周縁に沿って配置される横枠材１１１，１１１および縦枠材１１２，１１２と、横枠材１１１，１１１を繋ぐ第一内枠材１１３，１１３と、縦枠材１１２と第一内枠材１１３とを繋ぐ第二内枠材１１４，１１４と、建物Ｈ側に配置された横枠材１１１に沿って配置された四つの補助枠材１１５，１１５，…とを備えて構成されている。
【００１８】
横枠材１１１は、面材１２の前端部および後端部に配置されており、縦枠材１１２は、面材１２の側端部に配置されている。
【００１９】
第二内枠材１１４の上面には、挿通孔１１４ａ，１１４ａが形成されており、第二内枠材１１４の内部には、中子部材１７（図３参照）が挿設されている。中子部材１７には、挿通孔１１４ａに対応する位置に雌ネジ穴１７ａ（図４の（ａ）参照）が形成されている。
【００２０】
補助枠材１１５には、図２に示すように、挿通孔１１５ａ，１１５ａが形成されており、補助枠材１１５の内部には、中子部材１８（図３参照）が挿設されている。なお、中子部材１８には、挿通孔１１５ａに対応する位置に雌ネジ穴１８ａ（図４の（ｂ）参照）が形成されている。
【００２１】
なお、第一内枠材１１３や第二内枠材１１４の配置は、庇本体１０の大きさや庇本体１０に作用する荷重の大きさに応じて決定されるものであり、変更しても差し支えない。
【００２２】
面材１２は、アルミニウム製またはアルミニウム合金製の圧延材からなり、ろう材あるいは接着剤を介して枠体１１およびコア材１３に接合されている。なお、上側の面材１２には、第二内枠材１１４の挿通孔１１４ａに対応する位置に挿通孔１２ａ（図５参照）が形成されており、補助枠材１１５の挿通孔１１５ａに対応する位置に挿通孔１２ｂ（図５参照）が形成されている。
【００２３】
コア材１３は、図２に示すように、複数の筒状体１３ａ，１３ａ，…を蜂の巣状に集合させたものであり、隣接する筒状体１３ａ，１３ａの側面同士がろう材あるいは接着剤を介して互いに接合されている。なお、図２では、コア材１３の一部のみを図示しており、図３および図４では、コア材１３の図示を省略しているが、コア材１３は、枠体１１で囲まれた領域の全体に配置されている。また、本実施形態においては、複数の筒状体１３ａ，１３ａ，…の集合体をコア材１３としたが、コア材１３の形態はこれに限定されることはなく、例えば、図示は省略するが、波形に成形された板材をコア材とすることもできる。
【００２４】
先端部材１４は、図３に示すように、断面横Ｌ字状を呈するアルミニウム製又はアルミニウム合金製の押出形材からなり、図示せぬビス等の固着具によって枠体１１に固定されている。なお、アルミニウム製又はアルミニウム合金製の圧延材にプレス加工を施して先端部材１４を形成してもよい。
【００２５】
雨樋１５は、断面溝形を呈するアルミニウム製又はアルミニウム合金製の押出形材からなり、図示せぬビス等の固着具によって先端部材１４とともに枠体１１に固着されている。
【００２６】
小口部材１６は、図４の（ｂ）に示すように、断面Ｌ字状を呈するアルミニウム製又はアルミニウム合金製の押出形材からなり、図示せぬビス等の固着具によって枠体１１に固定されている。また、小口部材１６と建物Ｈの外面Ｈ２の隙間には、シール材１６ａが介設される。なお、本実施形態においては、小口部材１６の上部を上側の面材１２よりも上方に突出させることで、庇本体１０に滴下した雨水が建物Ｈ側へ流れ込むことを防止している。
【００２７】
取付部材２０は、図５に示すように、庇本体１０の上面に固定される固定部２１と、この固定部２１に立設された立上部２２と、この立上部２２から張り出す掛止部２３とを備えている。取付部材２０は、例えば、断面略Ｌ字形状を呈するアルミニウム製またはアルミニウム合金製の押出形材を適宜な長さで切断することにより得ることができるが、鋳造品や切削品であってもよい。
【００２８】
固定部２１は、平板状を呈しており、面材１２の挿通孔１２ｂに対応する位置（すなわち、図４の（ｂ）に示す補助枠材１１５の挿通孔１１５ａおよび中子部材１８の雌ネジ穴１８ａに対応する位置）に挿通孔２１ａを備えている。
【００２９】
立上部２２は、固定部２１の挿通孔２１ａ，２１ａよりも外側に配置されており、かつ、庇取付ブラケットＴ１の二つの側面のうち、庇本体１０の外縁側にある側面を覆い隠すように配置されている（図６の（ａ）参照）。立上部２２には、その上下方向の中央部に二つの挿通孔２２ａ，２２ａが横に並んで形成されている。なお、本実施形態に係る取付部材２０においては、固定部２１の外側の縁部に立上部２２が立設されているが、これに限定されることはなく、例えば、図７に示すように、固定部２１の中央部に立上部２２を立設してもよい。
【００３０】
掛止部２３は、図６の（ａ）に示すように、庇取付ブラケットＴ１の上端面に掛止される部位であり、本実施形態では、立上部２２の上端部から庇取付ブラケットＴ１に向かって張り出している。なお、掛止部２３の形態は、図示のものに限定されることはなく、例えば、図７に示すように、掛止部２３の先端部に突片２３ａを設け、庇取付ブラケットＴ１の上部に嵌まり込むように形成してもよい。
【００３１】
取付部材２０を庇本体１０の上面に固定するには、図５に示すように、固定部２１の挿通孔２１ａにボルトＢ１を挿通し、その軸部を図４の（ｂ）に示す中子部材１８の雌ネジ穴１８ａに螺合すればよい。
【００３２】
なお、本実施形態においては、庇本体１０の建物Ｈ側の縁部に沿って四つの取付部材２０，２０，…が配置されているが、取付部材２０の位置や個数（すなわち、庇取付ブラケットＴ１の位置や本数）は、庇本体１０の大きさや庇本体１０に作用する荷重の大きさに応じて決定されるものであり、変更しても差し支えない。
【００３３】
接続部材３０は、図５に示すように、庇本体１０の上面に固定される固定部３１と、この固定部３１に立設された立上部３２とを備えている。接続部材３０は、例えば、断面略Ｔ字形状を呈するアルミニウム製またはアルミニウム合金製の押出形材を適宜な長さで切断することにより得ることができるが、鋳造品や切削品であってもよい。
【００３４】
固定部３１は、平板状を呈しており、面材１２の挿通孔１２ａに対応する位置（すなわち、図４の（ａ）に示す第二内枠材１１４の挿通孔１１４ａおよび中子部材１７の雌ネジ穴１７ａに対応する位置）に、挿通孔３１ａが形成されている。
【００３５】
立上部３２は、固定部３１の中央部に立設されている。また、立上部３２の中央部には、挿通孔３２ａが形成されている。
【００３６】
接続部材３０を庇本体１０の上面に固定するには、図５に示すように、固定部３１の挿通孔３１ａにボルトＢ２を挿通し、その軸部を図４の（ａ）に示す中子部材１７の雌ネジ穴１７ａに螺合すればよい。
【００３７】
なお、本実施形態においては、二つの接続部材３０，３０が配置されているが、接続部材３０の位置や個数（すなわち、吊材Ｒの位置や本数）は、庇本体１０の大きさや庇本体１０に作用する荷重の大きさに応じて決定されるものであり、変更しても差し支えない。
【００３８】
庇取付ブラケットＴ１は、図３に示すように、建物Ｈの外装材を貫通して屋外へ突出する突出部４１と建物Ｈの柱Ｈ３などに固定される基部４２とを備えている。なお、突出部４１と外装材の間は、止水されているので、外装材の内側に雨水等が浸入することはない。
【００３９】
吊材取付ブラケットＴ２は、庇取付ブラケットＴ１よりも上方において建物Ｈの外装材を貫通して屋外へ突出する突出部５１と建物Ｈの梁Ｈ４などに固定される基部５２とを備えている。なお、突出部５１と外装材の間は、止水されているので、外装材の内側に雨水等が浸入することはない。
【００４０】
吊材Ｒは、主材６１と、吊材取付ブラケットＴ２に接続される上側エンドプラグ６２と、接続部材３０に接続される下側エンドプラグ６３とを備えている。なお、主材６１は、ステンレス鋼管やアルミニウム合金製の中空押出形材などからなり、その上端部および下端部の内周面は、相反する方向に螺刻されて雌ネジになっている。また、上側エンドプラグ６２は、主材６１の上端部にある雌ネジに螺合されるネジ部６２１と、このネジ部６２１の一端に形成された接続端部６２２とを備えており、下側エンドプラグ６３は、主材６１の下端部にある雌ネジに螺合されるネジ部６３１と、このネジ部６３１の一端に形成された接続端部６３２と、ネジ部６３１に螺合された緩み止めナット６３３とを備えている。
【００４１】
次に、以上のように構成された庇１を建物に付設する手順の一例を、図５を主に参照して説明する。
【００４２】
まず、庇１の接続部材３０に吊材Ｒの下側エンドプラグ６３を接続する。具体的には、下側エンドプラグ６３の接続端部６３２を接続部材３０の立上部３２の側面にあてがったうえで、接続端部６３２に形成された挿通孔６３２ａと立上部３２の挿通孔３２ａとにボルトＢ３を挿通し、これをナットＮ３で締結すればよい（図６の（ｂ）参照）。
【００４３】
続いて、吊材Ｒが取り付けられた状態の庇１を持ち上げ（あるいは吊り上げ）、取付部材２０を庇取付ブラケットＴ１に引っ掛ける（図６の（ａ）参照）。具体的には、取付部材２０の掛止部２３を庇取付ブラケットＴ１の突出部４１の上端面に載置すればよい。
【００４４】
その後、吊材Ｒの上側エンドプラグ６２を吊材取付ブラケットＴ２に接続する。具体的には、上側エンドプラグ６２の接続端部６２２を吊材取付ブラケットＴ２の突出部５１の側面にあてがったうえで、接続端部６２２に形成された挿通孔６２２ａと突出部５１に形成された挿通孔５１ａとにボルトＢ４を挿通し、これをナットＮ４で締結すればよい。
【００４５】
そして、取付部材２０の立上部２２に形成された挿通孔２２ａと庇取付ブラケットＴ１の突出部４１に形成された挿通孔４１ａとにボルトＢ５を挿通し、これをナットＮ５で締結すると、庇１の取付が完了する。
【００４６】
なお、庇本体１０の勾配は、吊材Ｒの主材６１を適宜な方向に回転させて、上側エンドプラグ６２と下側エンドプラグ６３との距離を増減させることで調整することができる。庇本体１０の勾配が定まったら、緩み止めナット６３３を主材６１側に移動させて締結する。
【００４７】
以上のような構成を備える庇１によると、庇取付ブラケットＴ１に掛止される取付部材２０が庇本体１０の上面に露出しているので、庇本体１０の建物Ｈへの取付作業を、庇本体１０の上側から下向き姿勢で行うことが可能となり、ひいては、建物Ｈへの取付作業を簡単且つ効率よく行うことが可能となる。
【００４８】
また、本実施形態においては、取付部材２０が庇取付ブラケットＴ１に向かって張り出す掛止部２３を備えているので、取付部材２０と庇取付ブラケットＴ１とを接合する前であっても、庇本体１０の建物Ｈ側の縁部を庇取付ブラケットＴ１に支持させておくことが可能となり、その結果、位置決め作業や接合作業を簡易迅速に行うことが可能となる。
【００４９】
また、本実施形態に係る取付部材２０は、庇取付ブラケットＴ１の二つの側面のうち、庇本体１０の外縁側にある側面を覆い隠すように立上部２２が配置されているので、庇１を見上げたときに庇取付ブラケットＴ１が視認され難く、すっきりとした外観となる。
【００５０】
なお、図８に示す取付部材２０’のように、立上部２２’に庇取付ブラケットＴ１側に開口する雌ネジ穴２２ｂを形成し、庇取付ブラケットＴ１を貫通するボルトＢ５を雌ネジ穴２２ｂに螺合することによって立上部２２’と庇取付ブラケットＴ１とを固定してもよい。このようにすると、図６に示すナットＮ５が不要になるとともに、庇１を見上げたときにボルトＢ５が視認され難くなるので、より一層すっきりとした外観となる。
【図面の簡単な説明】
【００５１】
【図１】本発明に係る庇を建物に取り付けた状態を示す斜視図である。
【図２】本発明に係る庇を示す平面図であって、面材の一部を破断させた図である。
【図３】図２のＸ−Ｘ線断面図である。
【図４】（ａ）は図３のＹ部拡大図、（ｂ）は図３のＺ部拡大図である。
【図５】本発明に係る庇の分解斜視図である。
【図６】（ａ）は取付部材を説明するための拡大正面図、（ｂ）は接続部材を説明するための拡大正面図である。
【図７】取付部材の変形例を示す拡大正面図である。
【図８】取付部材の他の変形例を示す拡大正面図である。
【符号の説明】
【００５２】
１      庇
１０    庇本体
１１    枠体
１２    面材
１３    コア材
２０    取付部材
３０    接続部材
Ｔ１    庇取付ブラケット
Ｔ２    吊材取付ブラケット
Ｒ      吊材
Ｈ      建物
【図１】
2006307426.tif 000003
【図２】
2006307426.tif 000004
【図３】
2006307426.tif 000005
【図４】
2006307426.tif 000006
【図５】
2006307426.tif 000007
【図６】
2006307426.tif 000008
【図７】
2006307426.tif 000009
【図８】
2006307426.tif 000010